(57)【要約】      （修正有）【課題】取り付けるときの指紋の付着を防止すると共に、使用前に傷や埃がつくことを防止し、クリーンな視界を得ることが可能なフェイスガード用シールド、及び該フェイスガード用シールドが装着されたフェイスガードを提供する。【解決手段】フェイスガードに取り付けられ、装着者の眼を保護するフェイスガード用シールド１００が、透明なプラスチックフィルムから成り、フェイスガードのフレーム部と係合する係合穴１１１，１１２，１１３，１１４，１１５が形成されたシールド本体１１０と、係合穴１１１，１１２，１１３，１１４，１１５が露出するように、シールド本体１１０の下端部側の表面及び裏面を覆う保護カバー１２０と、を備え、保護カバー１２０は、使用時にシールド本体１１０から取外し可能に設けられている。【選択図】図２
2018149295.tif 000002
【特許請求の範囲】
【請求項１】
フェイスガードに取り付けられ、装着者の眼を保護するフェイスガード用シールドであって、
透明なプラスチックフィルムから成り、前記フェイスガードのフレーム部と係合する係合穴が形成されたシールド本体と、
前記係合穴が露出するように、前記シールド本体の下端部側の表面及び裏面を覆う保護カバーと、
を備え、
前記保護カバーは、使用時に前記シールド本体から取外し可能に設けられている
ことを特徴とするフェイスガード用シールド。
【請求項２】
前記保護カバーは、一対のフィルム材より構成されていることを特徴とする請求項１に記載のフェイスガード用シールド。
【請求項３】
前記保護カバーは、肉薄柔軟な袋状の形状を呈していることを特徴とする請求項１又は請求項２に記載のフェイスガード用シールド。
【請求項４】
前記保護カバーが、紙、樹脂又は紙と樹脂の複合体より成ることを特徴とする請求項１から請求項３のいずれか一項に記載のフェイスガード用シールド。
【請求項５】
前記シールド本体が、略台形状の形状を呈し、
前記保護カバーは、前記保護カバーの左側端部又は右側端部のいずれか一方側において、前記保護カバーの開口が小さくなるように前記保護カバーの表側基材と裏側基材とが接合された接合部を有する
ことを特徴とする請求項１から請求項４のいずれか一項に記載のフェイスガード用シールド。
【請求項６】
前記接合部において、前記表側基材と前記裏側基材とが溶着又は接着によって接合されていることを特徴とする請求項５に記載のフェイスガード用シールド。
【請求項７】
前記接合部が、前記保護カバーの左側端部又は右側端部と前記シールド本体との間において、１箇所又は複数箇所に設けられていることを特徴とする請求項６に記載のフェイスガード用シールド。
【請求項８】
前記保護カバーの左側端部又は右側端部は、前記シールド本体の外形に沿った傾斜部を有し、
前記接合部が、前記傾斜部に設けられていることを特徴とする請求項６に記載のフェイスガード用シールド。
【請求項９】
請求項１から請求項８のいずれか一項に記載のフェイスガード用シールドが取り付けられたフェイスガード。
【発明の詳細な説明】
【技術分野】
【０００１】
本発明は、血液等の飛散から眼を保護するために用いられるフェイスガード（スプラッシュフェイスガード、医療用フェイスガード等）のシールド(透明フィルム)に関し、特に、シールドをフェイスガードのフレーム部に取り付ける際に、指紋の付着を防止すると共に、使用前に傷や埃がつくことを防止する保護カバーを備えたフェイスガード用シールド、及び該フェイスガード用シールドが装着されたフェイスガードに関する。
【背景技術】
【０００２】
従来、手術の執刀医や助手は、手術時の血液等の飛散から眼を保護するためにフェイスガードを装着している。フェイスガードは、両眼を前方から覆うフィルム状の透明なシールドを有しており、これによって血液等の飛散物から眼を保護し、眼からの血液感染を防止している。
【０００３】
このような、手術用のフェイスガードにおいては、感染症感染のリスクを減らすと共に、煩雑な滅菌処理等の不要なものが望まれ、使い捨てのシールドを備えたものが実用に供されている。このようなフェイスガードとしては、例えば、特許文献１に記載されているように、装着者の眼を保護するために、装着者の眼の前方に設けられる使い捨てのシールドと、そのシールドを保持するためのフレーム部(保持部)と、保持部に連結され、フェイスガードを頭部に装着するための装着部を備えたものがある。フェイスガードのフレーム部はスナップ式留具を有しており、これによってシールドを容易に装着できるように構成されている。
【０００４】
また、緊急を要する救急医療の現場では、シールドの装着時間さえも短縮するため、予め新しいシールドをフレーム部に装着したフェイスガードを常備し、緊急の手術に備えているという実態がある。このため、使用前のシールドに埃や傷がつかないように、シールドの表面に保護シールを備えたシールドも提案されている（例えば、特許文献２）。
【先行技術文献】
【特許文献】
【０００５】
【特許文献１】特開２００９−３１４７３号公報
【特許文献２】特開２０１６−１３１７２５号公報
【発明の概要】
【発明が解決しようとする課題】
【０００６】
特許文献２に記載のフェイスガードによれば、予め新しいシールドを装着した状態（つまり、使用前の状態）でフェイスガードを常備しておくような場合でも、保護シールによって使用前のシールド本体に対する埃等の付着を防止することができる。また、使用時には、保護シールに接着された接着テープをつまみ、保護シールをシールド本体から剥離することで、良好な視界を得ることが可能となる。
【０００７】
しかしながら、特許文献２に記載のシールドは、シールドの表面には保護シールを有するものの、シールドの裏面には保護シールを有さないため、シールドをフレーム部に装着するときに、シールドの裏面に指紋が付着してしまうと、保護シールを剥離したとしても、良好な視界を得ることができないといった問題があった。かかる問題を解決するためには、シールドをフレーム部に装着するときに、ラテックスグローブ等をすることも考えられるが、シールドをフレーム部の留具に固定する作業は、指先を使う細かい作業であるため、ラテックスグローブ等をした状態では、作業性が悪いといった問題がある。
【０００８】
また、昨今、クリーンな視界を得るために、シールドの表面にマルチコートを施すことも検討されているが、シールドの表面にマルチコートを施すと、保護シールを設けることができなくなるため、このようなシールドを用いる場合には、指紋付着の問題がより一層顕著なものとなる。
【０００９】
本発明は、このような事情に鑑みてなされたものであり、その目的とするところは、取り付けるときの指紋の付着を防止すると共に、使用前に傷や埃がつくことを防止し、クリーンな視界を得ることが可能なフェイスガード用シールド、及び該フェイスガード用シールドが装着されたフェイスガードを提供することである。
【課題を解決するための手段】
【００１０】
上記目的を達成するため、本発明のフェイスガード用シールドは、フェイスガードに取り付けられ、装着者の眼を保護するフェイスガード用シールドであって、透明なプラスチックフィルムから成り、フェイスガードのフレーム部と係合する係合穴が形成されたシールド本体と、係合穴が露出するように、シールド本体の下端部側の表面及び裏面を覆う保護カバーと、を備え、保護カバーは、使用時にシールド本体から取外し可能に設けられていることを特徴とする。
【００１１】
このような構成によれば、シールド本体が保護カバーによって覆われているため、フェイスガードのフレーム部に取り付けるときに指紋の付着が防止される。また、シールド本体が使用直前まで保護カバーによって覆われているため、シールド本体に傷や埃がつくことも防止される。
【００１２】
また、保護カバーは、一対のフィルム材より構成されるのが望ましい。
【００１３】
また、保護カバーは、肉薄柔軟な袋状の形状を呈していることが望ましい。
【００１４】
また、保護カバーが、紙、樹脂又は紙と樹脂の複合体より形成されるのが望ましい。
【００１５】
また、シールド本体が、略台形状の形状を呈し、保護カバーは、保護カバーの左側端部又は右側端部のいずれか一方側において、保護カバーの開口が小さくなるように保護カバーの表側基材と裏側基材とが接合された接合部を有することが望ましい。また、この場合、接合部において、表側基材と前記裏側基材とが溶着又は接着によって接合されていることが望ましい。
【００１６】
また、接合部が、保護カバーの左側端部又は右側端部とシールド本体との間において、１箇所又は複数箇所に設けられることが望ましい。
【００１７】
また、保護カバーの左側端部又は右側端部は、シールド本体の外形に沿った傾斜部を有し、接合部が、傾斜部に設けられていることが望ましい。
【００１８】
また、別の観点からは、本発明のフェイスガードは、上述したフェイスガード用シールドが取り付けられていることを特徴とする。
【発明の効果】
【００１９】
以上のように、本発明によれば、取り付けるときの指紋の付着を防止すると共に、使用前に傷や埃がつくことを防止し、クリーンな視界を得ることが可能なフェイスガード用シールド、及び該フェイスガード用シールドが装着されたフェイスガードが実現される。
【図面の簡単な説明】
【００２０】
【図１】図１は、本発明の第１の実施形態に係るフェイスガード用シールドが取り付けられた、フェイスガードの使用前の状態を示す斜視図である。
【図２】図２は、本発明の第１の実施形態に係るフェイスガード用シールドの平面図である。
【図３】図３は、図２のフェイスガード用シールドの分解図である。
【図４】図４は、図２のフェイスガード用シールドをフェイスガードのフレーム部に取り付ける様子を説明する図である。
【図５】図５は、フェイスガードに取り付けられたフェイスガード用シールドから保護カバーを取り外す手順を説明する図である。
【図６】図６は、図５のフェイスガード用シールドから保護カバーが取り外された後の状態（つまり、使用時の状態）を説明する図である。
【図７】図７は、本発明の第２の実施形態に係るフェイスガード用シールドの構成を説明する平面図である。
【図８】図８は、本発明の第２の実施形態に係るフェイスガード用シールドの変形例を示す平面図である。
【図９】図９は、本発明の第２の実施形態に係るフェイスガード用シールドの変形例を示す平面図である。
【図１０】図１０は、本発明の第２の実施形態に係るフェイスガード用シールドの変形例を示す平面図である。
【発明を実施するための形態】
【００２１】
以下、本発明の実施の形態について図面を参照して詳細に説明する。なお、図中同一又は相当部分には同一の符号を付してその説明は繰り返さない。
【００２２】
（第１の実施形態）
図１は、本発明の第１の実施形態に係るフェイスガード用シールド１００（以下、単に「シールド１００」という。）が取り付けられた、フェイスガード１０の使用前の状態を示す斜視図である。図２は、フェイスガード１０に取り付けられる前のフェイスガード用シールド１００を前方から見たときの平面図である。また、図３は、図２のシールド１００の分解図であり、図３（ａ）はシールド本体１１０の平面図であり、図３（ｂ）は、シールド本体１１０の下端側を覆う保護カバー１２０の平面図である。本実施形態のフェイスガード１０は、手術時の血液等の飛散から眼を保護するために用いられる器具であり、使い捨てのシールド１００が取り付けられて使用される。なお、以下の説明においては、フェイスガード１０が頭部に装着されたとき、顔が向けられる方向を前方とし、その逆方向を後方とする。また、左右上下は前方から見たときの左右上下をいう。
【００２３】
図１に示すように、フェイスガード１０は、装着者の眼を保護するために、装着者の眼の前方に設けられるシールド１００と、シールド１００を保持するためのフレーム部２００と、フレーム部２００に連結され、フェイスガード１０を頭部に装着するための装着部３００を備えている。
【００２４】
フレーム部２００は、プラスチック製の細長の板状部材であり、前頭部の形状に沿って略Ｕ字状に湾曲して形成され、アーム２１０、２２０が支持部２３０の右側及び左側から後方に向って延出している。フレーム部２００のアーム２１０、２２０の先端部には、それぞれ中央に連結穴２１２（図１において不図示）、２２２が形成された連結部２１４、２２４が形成されている。
【００２５】
また、アーム２１０、２２０の基端部に連続するように接続された支持部２３０には、その前面側に２つの突起２３１、２３２と、３つのスナップ式留具２３３、２３４、２３５が設けられている。２つの突起２３１、２３２と、３つのスナップ式留具２３３、２３４、２３５は、シールド１００を位置決めすると共に支持する機構であり、スナップ式留具２３３は支持部２３０とアーム２１０の略境界部に配置され、スナップ式留具２３４は支持部２３０の中央部に配置され、スナップ式留具２３５は支持部２３０とアーム２２０の略境界部に配置されている。また、突起２３１は、スナップ式留具２３３とスナップ式留具２３４の略中間の位置に配置され、突起２３２は、スナップ式留具２３４とスナップ式留具２３５の略中間の位置に配置されている。
【００２６】
スナップ式留具２３３、２３４、２３５のそれぞれは、支持部２３０の前面から突出するように形成された突起部２３３ａ（図１において不図示）、２３４ａ、２３５ａと、各突起部２３３ａ、２３４ａ、２３５ａと係合する係合部２３３ｂ、２３４ｂ、２３５ｂを有している。詳細は後述するが、本実施形態の各係合部２３３ｂ、２３４ｂ、２３５ｂは、支持部２３０の上側端面から上方に向って突出するように設けられており、各係合部２３３ｂ、２３４ｂ、２３５ｂの基端部側（つまり、支持部２３０側）には、各係合部２３３ｂ、２３４ｂ、２３５ｂを前方に折り返すことができるように、柔軟性を有した屈曲部２３３ｃ、２３４ｃ、２３５ｃが形成されている。そして、各係合部２３３ｂ、２３４ｂ、２３５ｂを前方に折り返すことで、各係合部２３３ｂ、２３４ｂ、２３５ｂが各突起部２３３ａ、２３４ａ、２３５ａと係合し、シールド１００が支持部２３０に固定されるように構成されている（図４）。
【００２７】
装着部３００は、プラスチック製の部材であり、後方に向かって延びるテンプル部３１０、３２０と、テンプル部３１０と３２０とを接続するブリッジ部３３０とが一体に成形されて構成される。図１に示すように、テンプル部３１０、３２０は、それぞれ内側に湾曲しつつ、後方に向かって延びている。また、ブリッジ部３３０は、テンプル部３１０、３２０から上斜め前方にアーチ状に曲げられて形成され、テンプル部３１０、３２０の前方端部を接続している。フェイスガード１０が装着者の頭部に装着されると、テンプル部３１０、３２０が装着者の側頭部及び耳に当接すると共に、ブリッジ部３３０が装着者の前頭部に当接し、フェイスガード１０は装着者の頭部に安定して固定される。
【００２８】
テンプル部３１０、３２０の前方端部の近傍には、連結穴３１２、３２２（図１において不図示）がそれぞれ設けられており、テンプル部３１０、３２０の外側には、連結穴３１２と連結穴２１２が連通し、連結穴３２２と連結穴２２２が連通するように、フレーム部２００の連結部２１４、２２４が配置されている。そして、連結穴３１２と連結穴２１２には連結ピン３１４が挿通され、連結穴３２２と連結穴２２２には連結ピン３２４が挿通され、フレーム部２００は、連結ピン３１４、３２４を支点に、装着部３００に対して上下に回動可能に固定されている。このように、本実施形態においては、フレーム部２００を装着部３００に対して相対的に回動させることにより、フレーム部２００に支持されたシールド本体１１０の上下方向の位置が調整可能になっている。なお、本実施形態においては、フレーム部２００は、テンプル部３１０、３２０に対して、一定の摩擦力が発生するように連結ピン３１４、３２４により固定されているため、外部から力が加わらない限り、フレーム部２００が装着部３００に対して相対的に回動することはない。
【００２９】
シールド１００は、無色透明または彩色が施された、厚さ略１００〜２００μｍのＴＡＣ（トリアセチルセルロース（Triacetylcellulose））フィルム等のプラスチックフィルムから成り、光透過性及び可撓性を有するシールド本体１１０と、白色又は彩色が施された、厚さ略０．０８〜０．２０ｍｍの紙を貼り合わせて、矩形の袋状に形成された保護カバー１２０と、から構成されている。
【００３０】
図２及び図３（ａ）に示すように、本実施形態のシールド本体１１０は、平面視略台形のシート状の形状を呈しており、保護カバー１２０内に収容されている。そして、フェイスガード１０を使用する際には、シールド１００（つまり、保護カバー１２０に収容されている状態のシールド本体１１０）をフレーム部２００に取り付け、保護カバー１２０を下方向に移動させて、保護カバー１２０をシールド本体１１０から取り外して使用する（詳細は後述）。なお、シールド本体１１０の素材としては、ＴＡＣフィルム以外にも、ＰＥＴ（ポリエチレンテレフタレート（Polyethylene terephthalate））フィルム、ＰＣ（ポリカーボネート（Polycarbonate））フィルム、ＰＰ（ポリプロピレン（Polypropylene）フィルム）等を用いることができる。また、保護カバー１２０の素材としては、紙以外にも、ＰＣフィルム、ＰＰフィルム等の肉薄柔軟な樹脂フィルム、又は紙と樹脂フィルムの複合体を用いることができる。
【００３１】
図２及び図３（ａ）に示すように、シールド本体１１０の上端部１１０Ｕ近傍には、フレーム部２００の突起２３１、２３２に対応する穴１１１、１１２（係合穴）と、スナップ式留具２３３、２３４、２３５に対応する穴１１３、１１４、１１５（係合穴）が穿設されている。また、シールド本体１１０の穴１１３、１１５の上方には、フレーム部２００に取り付けられる際に、スナップ式留具２３３、２３５と干渉しないように、切欠部１１０Ｒ、１１０Ｌが形成されている。また、シールド本体１１０の穴１１４の上側には、シールド本体１１０をフレーム部２００に取り付ける際に、スナップ式留具２３４を前方に折り返すことができるように、上端部１１０Ｕから下方に延びるスリット１１６と、穴１１７が形成されている。
【００３２】
図２及び図３（ｂ）に示すように、保護カバー１２０は、１枚の紙を下端部で折り返し、右側端部及び左側端部をテープ１２１、１２２で固定した袋状の部材である。保護カバー１２０の左右方向の内寸は、シールド本体１１０の左右方向の外寸よりも僅かに大きく、保護カバー１２０の上端部には、開口部１２０ａが形成されており、開口部１２０ａを通してシールド本体１１０が収容されている（図２）。そして、本実施形態においては、シールド本体１１０が保護カバー１２０に収容されている状態のときに、シールド本体１１０の上端部１１０Ｕ近傍に形成された穴１１１、１１２、１１３、１１４、１１５が露出するようになっており、シールド１００をフレーム部２００に取り付けるときに、保護カバー１２０がフレーム部２００と干渉しないようになっている。なお、シールド本体１１０が保護カバー１２０に収容されている状態のときには、シールド本体１１０の表面及び裏面と保護カバー１２０の内面との間で摩擦力が働くため、保護カバー１２０がシールド本体１１０から容易に脱落することはない。
【００３３】
上述のように、本実施形態のシールド１００は、シールド本体１１０を保護カバー１２０に収容したものである。本実施形態のシールド１００は、例えば、ＴＡＣフィルム等のプラスチックフィルムのシートを用意し、該シートをいわゆるトムソン型（ビク型）によって抜き加工し、予め袋状に加工した保護カバー１２０内に収容することによって得られる。
【００３４】
図４は、シールド１００をフレーム部２００に取り付ける様子を説明する図である。なお、図４においては、説明の便宜のため、フレーム部２００に取り付けられた状態のシールド１００の形状を２点鎖線で示している。
【００３５】
図４に示すように、本実施形態のシールド１００は、スナップ式留具２３３、２３４、２３５の各係合部２３３ｂ、２３４ｂ、２３５ｂを上方に開いた状態で、裏面側をフレーム部２００に向け、フレーム部２００の前方から取り付けられる。シールド１００をフレーム部２００に取り付けるときには、先ず、シールド本体１１０の穴１１１に突起２３１を挿入し、穴１１２に突起２３２挿入し、穴１１４に突起部２３４ａを挿入し、スナップ式留具２３４の係合部２３４ｂをスリット１１６の隙間を通して前方に折り返し、スナップ式留具２３４を固定する（つまり、係合部２３４ｂを突起部２３４ａに係合させる）。なお、スナップ式留具２３４を固定したとき、スナップ式留具２３４の屈曲部２３４ｃがシールド本体１１０の穴１１７に嵌まり込むため、スリット１１６は、閉じた状態となる。
【００３６】
次いで、シールド１００の左右両端部をフレーム部２００の支持部２３０の形状に沿うように曲げ、シールド本体１１０の穴１１３に突起部２３３ａを挿入した状態で、スナップ式留具２３３の係合部２３３ｂを前方に折り返してスナップ式留具２３３を固定し（つまり、係合部２３３ｂを突起部２３３ａに係合させ）、シールド本体１１０の穴１１５に突起部２３５ａを挿入した状態で、スナップ式留具２３５の係合部２３５ｂを前方に折り返してスナップ式留具２３５を固定する（つまり、係合部２３５ｂを突起部２３５ａに係合させる）。このように、スナップ式留具２３３、２３４、２３５を固定すると、シールド１００がフレーム部２００の形状に沿うように湾曲した状態でフレーム部２００に固定され、図１に示す状態（つまり、使用前の状態）となる。
【００３７】
このように、本実施形態においては、シールド本体１１０が保護カバー１２０に収容されている状態で、シールド１００がフレーム部２００に取り付けられる。従って、シールド本体１１０の下端部側（つまり、保護カバー１２０によって覆われている部分）には取り付け作業者の指紋が付着することはない。また、本実施形態のフェイスガード１０は、使用直前まで、シールド本体１１０が保護カバー１２０によって覆われているため、シールド本体１１０に埃や汚れが付着したり、傷がつくことがないようになっている。
【００３８】
図５及び図６は、本実施形態のフェイスガード１０を使用する際の手順を説明する図である。図５は、保護カバー１２０を取り外す手順を説明する図であり、図６は、保護カバー１２０が取り外された後の状態（つまり、使用時の状態）を説明する図である。図５及び図６に示すように、本実施形態のフェイスガード１０を使用する場合には、シールド１００の保護カバー１２０がシールド本体１１０から取り外される。
【００３９】
図５に示すように、保護カバー１２０を取り外す場合、保護カバー１２０の一部を把持し、ゆっくりと下方向に引き下げる。そして、保護カバー１２０を、シールド本体１１０の表面及び裏面と保護カバー１２０の内面との間で働く摩擦力よりも大きな力で引き下げることにより、保護カバー１２０がシールド本体１１０から取り外される。そして、保護カバー１２０がシールド本体１１０から完全に取り外されると、図６に示すように、埃等の付着のないシールド本体１１０が完全に露出する。
【００４０】
以上のように、本実施形態のフェイスガード１０は、使用する直前までシールド本体１１０を保護カバー１２０によって覆っておき、使用時には保護カバー１２０を簡単に取り外すことができるように構成されている。従って、例えば、緊急を要する救急医療の現場において、シールド１００の装着時間を短縮するために予め新しいシールド１００を装着した状態（つまり、使用前の状態）でフェイスガード１０を常備しておくような場合でも、保護カバー１２０によって使用前のシールド本体１１０に対する埃等の付着を防止することができ、使用時には保護カバー１２０を取り外すことで、良好な視界を得ることが可能となる。
【００４１】
以上が本発明の実施形態の説明であるが、本発明は、上記の実施形態の構成に限定されるものではなく、その技術的思想の範囲内で様々な変形が可能である。例えば、本実施形態においては、シールド本体１１０は、光透過性を有するＴＡＣ等のプラスチックフィルムであるとしたが、光透過性及び可撓性を有するものであれば、これに限定されるものではない。また、シールド本体１１０の表面又は裏面に、紫外線や赤外線をカットするコーティングや、反射を防止するコーティング（いわゆる、マルチコーティング）を施すことも可能である。
【００４２】
また、本実施形態の保護カバー１２０は、矩形袋状のものであると説明したが、シールド本体１１０の上端部１１０Ｕ近傍に形成された穴１１１、１１２、１１３、１１４、１１５が露出するように、シールド本体１１０の下端部側を覆えばよく、必ずしも矩形状のものに限定されるものではない。
【００４３】
また、本実施形態においては、保護カバー１２０の右側端部及び左側端部がテープ１２１、１２２で固定されているものとしたが、このような構成に限定されるものではなく、袋状に加工されていればよい。また、保護カバー１２０は、シールド本体１１０の下端部側を覆えばよく、シールド本体１１０を表面及び裏面から挟み込む２枚のフィルム材によって保護カバー１２０を構成することもできる。なお、この場合、シールド本体１１０とフィルム材との間に発生する静電気力で、フィルム材がシールド本体１１０の表面及び裏面に保持されることが望ましい。
【００４４】
（第２の実施形態）
図７は、本発明の第２の実施形態に係るフェイスガード用シールド１００Ａ（以下、単に「シールド１００Ａ」という。）の平面図である。本実施形態のシールド１００Ａは、半透明な樹脂フィルム（ＰＥＴフィルム、ＰＣフィルム、ＰＰフィルム、アクリルフィルム、ＯＰＰ（Oriented polypropylene）フィルム、ＨＤＰＥ（High Density Polyethylene）フィルム等）からなる保護カバー１２０Ａを備える点で、第１の実施形態に係るシールド１００と異なる。
【００４５】
保護カバー１２０Ａは、１枚の樹脂フィルムを下端部で折り返し、右側端部及び左側端部を超音波で溶着した袋状の部材である。保護カバー１２０Ａの左右方向の内寸は、シールド本体１１０の左右方向の外寸よりも僅かに大きく、保護カバー１２０Ａの上端部には、開口部１２０Ａａが形成されており、開口部１２０Ａａを通してシールド本体１１０が収容されている。そして、本実施形態の保護カバー１２０Ａは、保護カバー１２０Ａの左側端部から僅かに内側であって（つまり、保護カバー１２０Ａの左側端部周辺であって）、シールド本体１１０の左下端部よりも僅かに上側の位置に（つまり、保護カバー１２０Ａの左側端部とシールド本体１１０との間に）、溶着部１２５Ａ（接合部）を備えている。
【００４６】
溶着部１２５Ａは、保護カバー１２０Ａの表側基材と裏側基材とを数ｍｍの範囲にわたって溶着（接合）した部分である。図７に示すように、溶着部１２５Ａを設けることによって、保護カバー１２０Ａの開口部１２０Ａａが、実質的に小さくなるように構成されている。つまり、溶着部１２５Ａが設けられ保護カバー１２０Ａがシールド本体１１０に対して、上下方向に相対的に移動しようとすると、溶着部１２５Ａがシールド本体１１０の左下端部に接触し、移動を規制する。このように、本実施形態においては、溶着部１２５Ａを設けることにより、シールド本体１１０から保護カバー１２０Ａが脱落するのを防止している。なお、保護カバー１２０Ａを取り外す際には、保護カバー１２０Ａの右側端部を把持し、ゆっくりと下方向に引き下げることによって、容易に取り外すことができる。なお、溶着部１２５Ａは、必ずしも保護カバー１２０Ａの左側端部側に設ける必要はなく、右側端部側に設けてもよい。また、本実施形態においては、保護カバー１２０Ａが半透明な樹脂フィルムによって構成されており、透明なシールド本体１１０と明確に区別できるため、保護カバー１２０Ａの着脱作業、また着脱状態の確認も容易に行えるようになっている。
【００４７】
（第２の実施形態の変形例）
図８〜１０は、本発明の第２の実施形態に係るシールド１００Ａの変形例を示す平面図であり、図８は、変形例１に係るシールド１００Ｂの構成を示し、図９は、変形例２に係るシールド１００Ｃの構成を示し、図１０は、変形例３に係るシールド１００Ｄの構成を示している。
【００４８】
（第２の実施形態の変形例１）
本変形例１のシールド１００Ｂは、溶着部１２５Ｂ（接合部）がシールド本体１１０の左側の外形に沿って複数（例えば、３箇所）設けられている点で、第２の実施形態に係るシールド１００Ａと異なっている。このような構成によっても、保護カバー１２０Ｂの開口部１２０Ｂａを実質的に小さくすることができ、シールド本体１１０から保護カバー１２０Ｂが脱落するのを防止することができる。
【００４９】
（第２の実施形態の変形例２）
本変形例２のシールド１００Ｃは、保護カバー１２０Ｃの左上側が、シールド本体１１０の左側の外形に沿って斜めに切断された形状を呈し、該斜めに切断された部分（傾斜部）に溶着部１２５Ｃが設けられている点で、第２の実施形態に係るシールド１００Ａと異なっている。本変形例２においては、溶着部１２５Ｃが保護カバー１２０Ｃの左側端部の袋とじを兼ねている。このような構成によっても、保護カバー１２０Ｃの開口部１２０Ｃａを実質的に小さくすることができ、シールド本体１１０から保護カバー１２０Ｃが脱落するのを防止することができる。
【００５０】
（第２の実施形態の変形例３）
本変形例３のシールド１００Ｄは、保護カバー１２０Ｄの左側端部が、シールド本体１１０の左側の外形に沿って斜めに形成されており、該左側端部（傾斜部）に溶着部１２５Ｄが設けられている点で、第２の実施形態に係るシールド１００Ａと異なっている。本変形例３においても、変形例２と同様、溶着部１２５Ｄが保護カバー１２０Ｄの左側端部の袋とじを兼ねている。このような構成によっても、保護カバー１２０Ｄの開口部１２０Ｄａを実質的に小さくすることができ、シールド本体１１０から保護カバー１２０Ｄが脱落するのを防止することができる。
【００５１】
なお、第２の実施形態及び変形例１〜３においては、保護カバー１２０Ａ〜１２０Ｄを樹脂フィルムで構成し、その一部を溶着して溶着部１２５Ａ〜１２５Ｄを形成しているが、このような構成に限定されるものではない。例えば、保護カバー１２０Ａ〜１２０Ｄを紙、又は紙と樹脂フィルムの複合体で構成し、溶着部１２５Ａ〜１２５Ｄに相当する箇所を接着（接合）してもよい。
【００５２】
なお、今回開示された実施の形態は、全ての点で例示であって、制限的なものではないと考えられるべきである。本発明の範囲は、上記した説明ではなく、特許請求の範囲によって示され、特許請求の範囲と均等の意味及び範囲内での全ての変更が含まれることが意図される。
【符号の説明】
【００５３】
１０  フェイスガード
１００、１００Ａ、１００Ｂ、１００Ｃ、１００Ｄ  フェイスガード用シールド
１１０  シールド本体
１１０Ｕ  上端部
１１０Ｒ、１１０Ｌ  切欠部
１１１、１１２、１１３、１１４、１１５、１１７  穴
１１６  スリット
１２０、１２０Ａ、１２０Ｂ、１２０Ｃ、１２０Ｄ  保護カバー
１２０ａ、１２０Ａａ、１２０Ｂａ、１２０Ｃａ、１２０Ｄａ  開口部
１２１、１２２  テープ
１２５Ａ、１２５Ｂ、１２５Ｃ、１２５Ｄ  溶着部
２００  フレーム部
２１０、２２０  アーム
２１２、２２２  連結穴
２１４、２２４  連結部
２３０  支持部
２３１、２３２  突起
２３３、２３４、２３５  スナップ式留具
２３３ａ、２３４ａ、２３５ａ  突起部
２３３ｂ、２３４ｂ、２３５ｂ  係合部
２３３ｃ、２３４ｃ、２３５ｃ  屈曲部
３００  装着部
３１０、３２０  テンプル部
３１２、３２２  連結穴
３１４、３２４  連結ピン
３３０  ブリッジ部
【図１】
2018149295.tif 000003
【図２】
2018149295.tif 000004
【図３】
2018149295.tif 000005
【図４】
2018149295.tif 000006
【図５】
2018149295.tif 000007
【図６】
2018149295.tif 000008
【図７】
2018149295.tif 000009
【図８】
2018149295.tif 000010
【図９】
2018149295.tif 000011
【図１０】
2018149295.tif 000012